(57)【要約】【課題】  スケーラブルテレビシステムを構成する他の表示装置を容易に認識することができるようにする。【解決手段】  テレビジョン受像機は、ステップＳ２１において、上側のコネクタにケーブルが接続されているかどうかを判定し、接続されていると判定された場合、ステップＳ２２に進み、自分より上側に並ぶテレビ受像機の構成についての情報である配置情報を取得する。また、テレビジョン受像機は、下側、右側、および左側についても、それぞれ、下側、右側、および左側のコネクタにケーブルが接続されているかどうか判定し、配置情報を取得する。本発明は、例えば、複数のテレビジョン受像機で構成されるスケーラブルテレビシステムに適用できる。【選択図】図１５
2006308904.tif 000002
【特許請求の範囲】
【請求項１】
２以上の表示装置が接続されて構成される表示システムの前記２以上の表示装置のうちの１つの表示装置において、
他の表示装置には、前記表示装置と直接に接続される直接接続表示装置と、前記直接接続表示装置を介して前記表示装置と間接に接続される間接接続表示装置とが存在し、
前記直接接続表示装置と接続される第１の接続手段と、
前記第１の接続手段に前記直接接続表示装置が接続されているかどうかを検出し、前記第１の接続手段に前記直接接続表示装置が接続されている場合には、前記表示装置から前記直接接続表示装置の方向に並ぶ前記他の表示装置の構成についての情報である装置構成情報を前記直接接続表示装置から取得して、前記表示システム上の位置を求める接続検出手段と、
前記表示システム上の位置に基づいて、前記表示装置の表示手段に表示させる画像を制御する表示制御手段と
を備えることを特徴とする表示装置。
【請求項２】
前記表示システムを構成する前記２以上の表示装置には、親機の表示装置と子機の表示装置との２種類が存在し、前記親機の表示装置は、前記第１の接続手段に接続され、
前記表示装置のみと接続される前記子機の表示装置であって、さらに他の表示装置と接続される第２の接続手段をさらに備え、
前記接続検出手段は、前記第２の接続手段に前記さらに他の表示装置が接続されているかどうかをさらに検出し、前記第２の接続手段に前記さらに他の表示装置が接続されている場合には、前記表示装置に対する前記さらに他の表示装置の位置情報を取得するとともに、前記表示システム上の前記さらに他の表示装置の位置を前記さらに他の表示装置に提供し、
前記表示制御手段は、前記さらに他の表示装置の位置にも基づいて、前記表示装置の表示手段に表示させる画像を制御する
ことを特徴とする請求項１に記載の表示装置。
【請求項３】
前記表示装置は、所定の軸を中心として回転可能となされており、
前記表示装置が回転した場合に、前記表示手段が所定のユーザに対して表または裏を向いていることを表す回転情報を取得する回転情報取得手段をさらに備え、
前記表示制御手段は、前記回転情報にも基づいて、前記表示手段に表示させる画像を制御する
ことを特徴とする請求項１に記載の表示装置。
【請求項４】
前記装置構成情報には、前記他の表示装置の表示手段それぞれが所定の軸を中心として回転された場合に、前記他の表示装置の表示手段それぞれが所定のユーザに対して表または裏を向いていることを表す回転情報が含まれ、
前記表示制御手段は、前記他の表示装置の表示手段それぞれの回転情報にも基づいて、前記表示装置の表示手段に表示させる画像を制御する
ことを特徴とする請求項１に記載の表示装置。
【請求項５】
前記表示装置に対する前記直接接続表示装置の方向は、右側、左側、上側、または下側のいずれかである
ことを特徴とする請求項１に記載の表示装置。
【請求項６】
前記左側または上側の前記直接接続表示装置から第１の電気信号を入力させ、第２の電気信号を前記左側または上側の前記直接接続表示装置に出力する第１の入出力手段と、
前記右側または下側の前記直接接続表示装置から前記第２の電気信号を入力させ、前記第１の電気信号を前記右側または下側の前記直接接続表示装置に出力する第２の入出力手段と、
前記第１および第２の電気信号を用いて、前記表示装置に対して、前記右側および左側の横方向か、または前記上側および下側の縦方向のいずれか一方向に接続されている前記他の表示装置の総数を演算する演算手段と
をさらに備えることを特徴とする請求項５に記載の表示装置。
【請求項７】
前記演算手段は、
前記第１の電気信号が表す数に前記表示装置の数を付加する第１の付加手段と、
前記第２の電気信号が表す数に前記表示装置の数を付加する第２の付加手段と、
前記第１の付加手段の結果と、前記第２の電気信号が表す値とを加算する加算手段と
を有し、
前記第１の入出力手段は、前記第２の付加手段による結果を前記第２の電気信号として前記左側または上側の前記直接接続表示装置に出力し、
前記第２の入出力手段は、前記第１の付加手段による結果を前記第１の電気信号として前記右側または下側の前記直接接続表示装置に出力する
ことを特徴とする請求項７に記載の表示装置。
【請求項８】
２以上の表示装置が接続されて構成される表示システムの前記２以上の表示装置のうちの１つの表示装置の表示方法において、
他の表示装置には、前記表示装置と直接に接続される直接接続表示装置と、前記直接接続表示装置を介して前記表示装置と間接に接続される間接接続表示装置とが存在し、
前記直接接続表示装置と接続される接続手段に前記直接接続表示装置が接続されているかどうかを検出し、前記接続手段に前記直接接続表示装置が接続されている場合には、前記表示装置から前記直接接続表示装置の方向に並ぶ前記他の表示装置の構成についての情報である装置構成情報を前記直接接続表示装置から取得して、前記表示システム上の位置を求める接続検出ステップと、
前記表示システム上の位置に基づいて、前記表示装置の表示手段に表示させる画像を制御する表示制御ステップと
を含むことを特徴とする表示方法。
【請求項９】
２以上の表示装置が接続されて構成される表示システムの前記２以上の表示装置のうちの１つの表示装置を制御する処理を、コンピュータに実行させるプログラムにおいて、
他の表示装置には、前記表示装置と直接に接続される直接接続表示装置と、前記直接接続表示装置を介して前記表示装置と間接に接続される間接接続表示装置とが存在し、
前記直接接続表示装置と接続される接続手段に前記直接接続表示装置が接続されているかどうかを検出し、前記接続手段に前記直接接続表示装置が接続されている場合には、前記表示装置から前記直接接続表示装置の方向に並ぶ前記他の表示装置の構成についての情報である装置構成情報を前記直接接続表示装置から取得して、前記表示システム上の位置を求める接続検出ステップと、
前記表示システム上の位置に基づいて、前記表示装置の表示手段に表示させる画像を制御する表示制御ステップと
を含むことを特徴とするプログラム。
【請求項１０】
２以上の表示装置が接続されて構成される表示システムの前記２以上の表示装置のうちの１つの表示装置において、
前記他の表示装置と接続される接続手段と、
前記他の表示装置に対する前記表示装置の相対位置を取得する第１の位置情報取得手段と、
前記相対位置を前記他の表示装置に提供し、前記表示システム上の前記表示装置の絶対位置を前記他の表示装置から取得する第２の位置情報取得手段と、
前記表示システム上の前記表示装置の絶対位置に基づいて、前記表示装置の表示手段に表示させる画像を制御する表示制御手段と
を備えることを特徴とする表示装置。
【請求項１１】
前記表示装置は、所定の軸を中心として回転可能となされており、
前記表示装置が回転した場合に、前記表示手段が所定のユーザに対して表または裏を向いていることを表す回転情報を取得する回転情報取得手段をさらに備え、
前記第２の位置情報取得手段は、さらに、前記表示装置の前記回転情報も前記他の表示装置に提供し、前記他の表示装置が前記所定のユーザに対して表または裏を向いていることを表す回転情報も前記他の表示装置から取得し、
前記表示制御手段は、前記表示装置および前記他の表示装置の回転情報にも基づいて、前記表示手段に表示させる画像を制御する
ことを特徴とする請求項１０に記載の表示装置。
【請求項１２】
２以上の表示装置が接続されて構成される表示システムの前記２以上の表示装置のうちの１つの表示装置の表示方法において、
接続手段に接続されている他の表示装置に対する前記表示装置の相対位置を取得する第１の位置情報取得ステップと、
前記相対位置を前記他の表示装置に提供し、前記表示システム上の前記表示装置の絶対位置を前記他の表示装置から取得する第２の位置情報取得ステップと、
前記表示システム上の前記表示装置の絶対位置に基づいて、前記表示装置の表示手段に表示させる画像を制御する表示制御ステップと
を含むことを特徴とする表示方法。
【請求項１３】
２以上の表示装置が接続されて構成される表示システムの前記２以上の表示装置のうちの１つの表示装置を制御する処理を、コンピュータに実行させるプログラムにおいて、
接続手段に接続されている他の表示装置に対する前記表示装置の相対位置を取得する第１の位置情報取得ステップと、
前記相対位置を前記他の表示装置に提供し、前記表示システム上の前記表示装置の絶対位置を前記他の表示装置から取得する第２の位置情報取得ステップと、
前記表示システム上の前記表示装置の絶対位置に基づいて、前記表示装置の表示手段に表示させる画像を制御する表示制御ステップと
を含むことを特徴とするプログラム。
【発明の詳細な説明】
【技術分野】
【０００１】
本発明は、表示装置および方法、記録媒体、並びにプログラムに関し、特に、スケーラブルテレビシステムを構成する他の表示装置を容易に認識することができるようにする表示装置および方法、記録媒体、並びにプログラムに関する。
【背景技術】
【０００２】
任意の複数台のテレビジョン受像機を用いたスケーラブルテレビ（Television）システムが、本出願人により提案されている（例えば、特許文献１参照）。
【０００３】
スケーラブルテレビシステムは、任意の複数台のテレビジョン受像機を、横と縦それぞれに、任意の台数だけ配置して構成される。
【０００４】
図１は、テレビジョン受像機の横×縦の台数が、例えば、４×４の１６台で構成されるスケーラブルテレビシステムを示している。
【０００５】
図１のスケーラブルテレビシステムは、１６台のテレビジョン受像機２11，２12，２13，２14，２21，２22，２23，２24，２31，２32，２33，２34，２41，２42，２43，２44で構成されている。ここで、テレビジョン受像機２ijのサフィックスｉｊは、そのテレビジョン受像機２ijが、スケーラブルテレビシステムにおいて、第ｉ列第ｊ行（上からｉ行目の、左からｊ列目）に配置されているものであることを表す。また、テレビジョン受像機２ijを特に区別する必要がない場合、テレビジョン受像機２と称する。
【０００６】
例えば、スケーラブルテレビシステムにおいて、接続されているテレビジョン受像機２全体で１つの画像を表示させる場合、テレビジョン受像機２がスケーラブルテレビシステム全体のうちのどこに配置されているかによって、各テレビジョン受像機２が表示する画像を変える必要がある。そこで、スケーラブルテレビシステムを構成する１６台のテレビジョン受像機２のなかの所定の１台を、スケーラブルテレビシステム全体（１６台のテレビジョン受像機２）を制御する親機として、親機のテレビジョン受像機２が、子機となる各テレビジョン受像機２にスケーラブルシステム全体に対するテレビジョン受像機２の配置に関する情報を提供する方法がある。
【０００７】
この場合、１６台のテレビジョン受像機２ij（ｉ，ｊ＝１乃至４）を相互に接続する配線（信号線）の接続方法としては、例えば、図２に示すように、１６台のテレビジョン受像機２のうちの親機である最も左下のテレビジョン受像機２41と残りのテレビジョン受像機２それぞれとが接続される。
【０００８】
即ち、図２では、テレビジョン受像機２11とテレビジョン受像機２41とがケーブル１１11で接続され、テレビジョン受像機２21とテレビジョン受像機２41とがケーブル１１21で接続され、テレビジョン受像機２31とテレビジョン受像機２41とがケーブル１１31で接続されている。また、テレビジョン受像機２12とテレビジョン受像機２41とがケーブル１１12で接続され、テレビジョン受像機２22とテレビジョン受像機２41とがケーブル１１22で接続され、テレビジョン受像機２32とテレビジョン受像機２41とがケーブル１１32で接続され、テレビジョン受像機２42とテレビジョン受像機２41とがケーブル１１42で接続されている。
【０００９】
さらに、テレビジョン受像機２13とテレビジョン受像機２41とがケーブル１１13で接続され、テレビジョン受像機２23とテレビジョン受像機２41とがケーブル１１23で接続され、テレビジョン受像機２33とテレビジョン受像機２41とがケーブル１１33で接続され、テレビジョン受像機２43とテレビジョン受像機２41とがケーブル１１43で接続されている。
【００１０】
同様に、テレビジョン受像機２14とテレビジョン受像機２41とがケーブル１１14で接続され、テレビジョン受像機２24とテレビジョン受像機２41とがケーブル１１24で接続され、テレビジョン受像機２34とテレビジョン受像機２41とがケーブル１１34で接続され、テレビジョン受像機２44とテレビジョン受像機２41とがケーブル１１44で接続されている。
【００１１】
図２に示すような接続方法では、親機のテレビジョン受像機２に子機のテレビジョン受像機２と接続するための配線や接続口となるコネクタが集中することになる。親機とするテレビジョン受像機２に大量のコネクタを取り付けることは困難であり、必然と親機のテレビジョン受像機２に接続可能な子機のテレビジョン受像機２の台数は制限されてくる。即ち、スケーラブルテレビシステムを構成するテレビジョン受像機２の台数が制限されてくる。
【００１２】
【特許文献１】特開２００３−１９５８４３号公報（図１）
【発明の開示】
【発明が解決しようとする課題】
【００１３】
スケーラブルテレビシステムは、任意の複数台のテレビジョン受像機を容易に接続したり、取り外したりすることができることが特徴であるため、構成台数に制限がない方が良い。また、スケーラブルテレビシステムを構成するテレビジョン受像機どうしの配線の接続方法が容易であったり、スケーラブルテレビシステムを構成するテレビジョン受像機の台数に変化があった場合、その変化を各テレビジョン受像機が容易に認識することができるのが望ましい。
【００１４】
本発明は、このような状況に鑑みてなされたものであり、スケーラブルテレビシステムを構成する他の表示装置を容易に認識することができるようにするものである。
【課題を解決するための手段】
【００１５】
本発明の第１の表示装置は、他の表示装置には、表示装置と直接に接続される直接接続表示装置と、直接接続表示装置を介して表示装置と間接に接続される間接接続表示装置とが存在し、直接接続表示装置と接続される第１の接続手段と、第１の接続手段に直接接続表示装置が接続されているかどうかを検出し、第１の接続手段に直接接続表示装置が接続されている場合には、表示装置から直接接続表示装置の方向に並ぶ他の表示装置の構成についての情報である装置構成情報を直接接続表示装置から取得して、表示システム上の位置を求める接続検出手段と、表示システム上の位置に基づいて、表示装置の表示手段に表示させる画像を制御する表示制御手段とを備えることを特徴とする。
【００１６】
表示システムを構成する２以上の表示装置には、親機の表示装置と子機の表示装置との２種類が存在し、親機の表示装置は、第１の接続手段に接続され、表示装置のみと接続される子機の表示装置であって、さらに他の表示装置と接続される第２の接続手段をさらに設け、接続検出手段には、第２の接続手段にさらに他の表示装置が接続されているかどうかをさらに検出させ、第２の接続手段にさらに他の表示装置が接続されている場合には、表示装置に対するさらに他の表示装置の位置情報を取得するとともに、表示システム上のさらに他の表示装置の位置をさらに他の表示装置に提供させ、表示制御手段には、さらに他の表示装置の位置にも基づいて、表示装置の表示手段に表示させる画像を制御させることができる。
【００１７】
表示装置は、所定の軸を中心として回転可能となされており、表示装置が回転した場合に、表示手段が所定のユーザに対して表または裏を向いていることを表す回転情報を取得する回転情報取得手段をさらに設け、表示制御手段には、回転情報にも基づいて、表示手段に表示させる画像を制御させることができる。
【００１８】
装置構成情報には、他の表示装置の表示手段それぞれが所定の軸を中心として回転された場合に、他の表示装置の表示手段それぞれが所定のユーザに対して表または裏を向いていることを表す回転情報が含まれ、表示制御手段には、他の表示装置の表示手段それぞれの回転情報にも基づいて、表示装置の表示手段に表示させる画像を制御させることができる。
【００１９】
表示装置に対する直接接続表示装置の方向は、右側、左側、上側、または下側のいずれかにさせることができる。
【００２０】
左側または上側の直接接続表示装置から第１の電気信号を入力させ、第２の電気信号を左側または上側の直接接続表示装置に出力する第１の入出力手段と、右側または下側の直接接続表示装置から第２の電気信号を入力させ、第１の電気信号を右側または下側の直接接続表示装置に出力する第２の入出力手段と、第１および第２の電気信号を用いて、表示装置に対して、右側および左側の横方向か、または上側および下側の縦方向のいずれか一方向に接続されている他の表示装置の総数を演算する演算手段とをさらに設けることができる。
【００２１】
演算手段には、第１の電気信号が表す数に表示装置の数を付加する第１の付加手段と、第２の電気信号が表す数に表示装置の数を付加する第２の付加手段と、第１の付加手段の結果と、第２の電気信号が表す値とを加算する加算手段とを有し、第１の入出力手段には、第２の付加手段による結果を第２の電気信号として左側または上側の直接接続表示装置に出力させ、第２の入出力手段には、第１の付加手段による結果を第１の電気信号として右側または下側の直接接続表示装置に出力させることができる。
【００２２】
本発明の第１の表示方法は、他の表示装置には、表示装置と直接に接続される直接接続表示装置と、直接接続表示装置を介して表示装置と間接に接続される間接接続表示装置とが存在し、直接接続表示装置と接続される接続手段に直接接続表示装置が接続されているかどうかを検出し、接続手段に直接接続表示装置が接続されている場合には、表示装置から直接接続表示装置の方向に並ぶ他の表示装置の構成についての情報である装置構成情報を直接接続表示装置から取得して、表示システム上の位置を求める接続検出ステップと、表示システム上の位置に基づいて、表示装置の表示手段に表示させる画像を制御する表示制御ステップとを含むことを特徴とする。
【００２３】
本発明の第１のプログラムは、他の表示装置には、表示装置と直接に接続される直接接続表示装置と、直接接続表示装置を介して表示装置と間接に接続される間接接続表示装置とが存在し、直接接続表示装置と接続される接続手段に直接接続表示装置が接続されているかどうかを検出し、接続手段に直接接続表示装置が接続されている場合には、表示装置から直接接続表示装置の方向に並ぶ他の表示装置の構成についての情報である装置構成情報を直接接続表示装置から取得して、表示システム上の位置を求める接続検出ステップと、表示システム上の位置に基づいて、表示装置の表示手段に表示させる画像を制御する表示制御ステップとを含むことを特徴とする。
【００２４】
本発明の第１の表示装置、表示方法、およびプログラムにおいては、直接接続表示装置と接続される接続手段に直接接続表示装置が接続されているかどうかが検出され、接続手段に直接接続表示装置が接続されている場合には、表示装置から直接接続表示装置の方向に並ぶ他の表示装置の構成についての情報である装置構成情報が直接接続表示装置から取得され、表示システム上の位置が求められ、表示システム上の位置に基づいて、表示装置の表示手段に表示させる画像が制御される。
【００２５】
本発明の第２の表示装置は、他の表示装置と接続される接続手段と、他の表示装置に対する表示装置の相対位置を取得する第１の位置情報取得手段と、相対位置を他の表示装置に提供し、表示システム上の表示装置の絶対位置を他の表示装置から取得する第２の位置情報取得手段と、表示システム上の表示装置の絶対位置に基づいて、表示装置の表示手段に表示させる画像を制御する表示制御手段とを備えることを特徴とする。
【００２６】
表示装置は、所定の軸を中心として回転可能となされており、表示装置が回転した場合に、表示手段が所定のユーザに対して表かまたは裏を向いていることを表す回転情報を取得する回転情報取得手段をさらに設け、第２の位置情報取得手段には、さらに、表示装置の回転情報も他の表示装置に提供させ、他の表示装置が所定のユーザに対して表または裏を向いていることを表す回転情報も他の表示装置から取得させ、表示制御手段には、表示装置および他の表示装置の回転情報にも基づいて、表示手段に表示させる画像を制御させることができる。
【００２７】
本発明の第２の表示方法は、接続手段に接続されている他の表示装置に対する表示装置の相対位置を取得する第１の位置情報取得ステップと、相対位置を他の表示装置に提供し、表示システム上の表示装置の絶対位置を他の表示装置から取得する第２の位置情報取得ステップと、表示システム上の表示装置の絶対位置に基づいて、表示装置の表示手段に表示させる画像を制御する表示制御ステップとを含むことを特徴とする。
【００２８】
本発明の第２のプログラムは、接続手段に接続されている他の表示装置に対する表示装置の相対位置を取得する第１の位置情報取得ステップと、相対位置を他の表示装置に提供し、表示システム上の表示装置の絶対位置を他の表示装置から取得する第２の位置情報取得ステップと、表示システム上の表示装置の絶対位置に基づいて、表示装置の表示手段に表示させる画像を制御する表示制御ステップとを含むことを特徴とする。
【００２９】
本発明の第２の表示装置、表示方法、およびプログラムにおいては、接続手段に接続されている他の表示装置に対する表示装置の相対位置が取得され、相対位置が他の表示装置に提供され、表示システム上の表示装置の絶対位置が他の表示装置から取得され、表示システム上の表示装置の絶対位置に基づいて、表示装置の表示手段に表示させる画像が制御される。
【発明の効果】
【００３０】
本発明によれば、スケーラブルテレビシステムを構成する他の表示装置を容易に認識することができる。
【発明を実施するための最良の形態】
【００３１】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００３２】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００３３】
請求項１に記載の表示装置は、
２以上の表示装置が接続されて構成される表示システム（例えば、図３の表示システム２１）の前記２以上の表示装置のうちの１つの表示装置（例えば、図９のテレビジョン受像機３０）において、
他の表示装置には、前記表示装置と直接に接続される直接接続表示装置と、前記直接接続表示装置を介して前記表示装置と間接に接続される間接接続表示装置とが存在し、
前記直接接続表示装置と接続される第１の接続手段（例えば、図１０のIEEE1394コネクタCR，CL，CU、またはCD）と、
前記第１の接続手段に前記直接接続表示装置が接続されているかどうかを検出し、前記第１の接続手段に前記直接接続表示装置が接続されている場合には、前記表示装置から前記直接接続表示装置の方向に並ぶ前記他の表示装置の構成についての情報である装置構成情報を前記直接接続表示装置から取得して、前記表示システム上の位置を求める接続検出手段（例えば、図９の位置検出部５１）と、
前記表示システム上の位置に基づいて、前記表示装置の表示手段に表示させる画像を制御する表示制御手段（例えば、図９の制御部５２）と
を備えることを特徴とする。
【００３４】
請求項２に記載の表示装置は、
前記表示システムを構成する前記２以上の表示装置には、親機の表示装置と子機の表示装置との２種類が存在し、前記親機の表示装置は、前記第１の接続手段に接続され、
前記表示装置のみと接続される前記子機の表示装置であって、さらに他の表示装置と接続される第２の接続手段（例えば、図１０のIEEE1394コネクタC1乃至C8）をさらに備え、
前記接続検出手段は、前記第２の接続手段に前記さらに他の表示装置が接続されているかどうかをさらに検出し、前記第２の接続手段に前記さらに他の表示装置が接続されている場合には、前記表示装置に対する前記さらに他の表示装置の位置情報を取得するとともに、前記表示システム上の前記さらに他の表示装置の位置を前記さらに他の表示装置に提供し、
前記表示制御手段は、前記さらに他の表示装置の位置にも基づいて、前記表示装置の表示手段に表示させる画像を制御する
ことを特徴とする。
【００３５】
以下、図を参照して、本発明の実施の形態について説明する。
【００３６】
図３は、本発明を適用したスケーラブルテレビシステムの一実施の形態の構成例を示している。
【００３７】
図３に示すスケーラブルテレビシステム２１は、１６台のテレビジョン受像機３０11，３０12，３０13，３０14，３０21，３０22，３０23，３０24，３０31，３０32，３０33，３０34，３０41，３０42，３０43，３０44で構成されている（第１の実施の形態）。
【００３８】
ここで、図１における場合と同様に、テレビジョン受像機３０ijのサフィックスｉｊは、そのテレビジョン受像機３０ijが、スケーラブルテレビシステム２１において、第ｉ列第ｊ行（上からｉ行目の、左からｊ列目）に配置されているものであることを表す。また、テレビジョン受像機３０ijを特に区別する必要がない場合、テレビジョン受像機３０と称する。
【００３９】
スケーラブルテレビシステム２１を構成するテレビジョン受像機３０は、専用のラック（固定板）９１（図１３や図１８）で背面から固定されている。また、スケーラブルテレビシステム２１を構成するテレビジョン受像機３０どうしで固定することも可能である。そして、テレビジョン受像機３０それぞれは、図４に示すように、脱着可能となされており、テレビジョン受像機３０をスケーラブルテレビシステム２１から取り外したり、追加したりすることが可能である。
【００４０】
例えば、図４に示すスケーラブルテレビシステム２１において、左側一列のテレビジョン受像機３０14，３０24，３０34，３０44と下側一行の３０41，３０42，３０43（，３０44）とを取り外すと、図５に示すように、９台のテレビジョン受像機３０11，３０12，３０13，３０21，３０22，３０23，３０31，３０32，３０33で構成されるスケーラブルテレビシステム２１（第２の実施の形態）となる。
【００４１】
スケーラブルテレビシステム２１は、複数のテレビジョン受像機３０を相互に接続することで、単体のテレビジョン受像機３０では実現できない機能を実現することができる。例えば、９台のテレビジョン受像機３０で１つの画像を表示させる大画面機能や、動画像を所定の時間間隔で静止させた静止画像を時系列に各テレビジョン受像機３０に順に表示させるストロボ機能などがある。
【００４２】
また、スケーラブルテレビシステム２１を構成するテレビジョン受像機３０それぞれは、テレビジョン受像機３０を固定するラック９１（図１８）によってテレビジョン受像機３０の垂直方向を軸として１８０度回転することができるようになっており、テレビジョン受像機３０の一方の面（表側）の背面側にいるユーザにも映像を視聴させることができるようになっている。
【００４３】
なお、回転させるテレビジョン受像機３０の台数は、１台（単体）とすることもできるし、複数台とすることもできる。例えば、図６は、９台のテレビジョン受像機３０で構成されるスケーラブルテレビシステム２１のうちの、テレビジョン受像機３０13だけが回転している例を示しており、図６Ａは、テレビジョン受像機３０13が他の８台のテレビジョン受像機３０11，３０12，３０21乃至３０33と同一面（表）を向いている状態、図６Ｂは、テレビジョン受像機３０13が他の８台のテレビジョン受像機３０11，３０12，３０21乃至３０33と反対の面（裏）を向いている状態を示している。
【００４４】
また例えば、図７は、９台のテレビジョン受像機３０で構成されるスケーラブルテレビシステム２１のうちの、第１列のテレビジョン受像機３０11乃至３０13がテレビジョン受像機３０12の中心を軸として回転している例を示しており、図７Ａは、第１列のテレビジョン受像機３０11乃至３０13が他の６台のテレビジョン受像機３０21乃至３０33と同一面（表）を向いている状態、図７Ｂは、第１列のテレビジョン受像機３０11乃至３０13が他の６台のテレビジョン受像機３０21乃至３０33と反対の面（裏）を向いている状態を示している。
【００４５】
さらに、スケーラブルテレビシステム２１を構成するテレビジョン受像機３０それぞれは、スケーラブルテレビシステム２１を構成する他のテレビジョン受像機３０が脱着されたり、回転したりして構成（状態）が変化した場合に、その構成（状態）の変化を検出し、その構成（状態）の変化に対応した画像を表示することができる。
【００４６】
例えば、図７Ａに示したように、９台のテレビジョン受像機３０11乃至３０33すべてが同一面（この面を表とする）を向いている場合には、９台のテレビジョン受像機３０11乃至３０33で１つの全体画像を表示させるように、９台のテレビジョン受像機３０11乃至３０33それぞれが全体画像を１／９ずつ分割した部分画像を表示する。
【００４７】
また、図７Ｂに示したように、第１列のテレビジョン受像機３０11乃至３０13がテレビジョン受像機３０12の中心を軸として回転し、裏を向いている場合には、他の６台のテレビジョン受像機３０21乃至３０33それぞれは、６台のテレビジョン受像機３０21乃至３０33で１つの画像を表示させるように、全体画像を１／６ずつ分割した部分画像を表示する。一方、裏を向いているテレビジョン受像機３０11乃至３０13は、そのなかの１台（例えば、テレビジョン受像機３０13）で全体画像を表示する。即ち、テレビジョン受像機３０13は、表を向いているときは、１／９の部分画像を表示し、裏を向いているときは、全体画像を表示する。
【００４８】
なお、同一面を向いている複数台のテレビジョン受像機３０のうち何台のテレビジョン受像機３０を使って、どのような画像を表示させるかは、上述した例に限定されず、様々な表示態様を採用することができる。
【００４９】
ところで、図３に示した１６台のテレビジョン受像機３０で構成されるスケーラブルテレビシステム２１（第１の実施の形態）や図５に示した９台のテレビジョン受像機３０で構成されるスケーラブルテレビシステム２１（第２の実施の形態）は、１台の親機となるテレビジョン受像機３０と複数台の子機となるテレビジョン受像機３０とで構成されるスケーラブルテレビユニットを複数ユニット組み合わせることによって構成されている。
【００５０】
なお、スケーラブルテレビユニットも、それ単独で、複数台のテレビジョン受像機３０で構成されているスケーラブルテレビシステムであると言える。
【００５１】
例えば、図５に示した９台のテレビジョン受像機３０で構成されるスケーラブルテレビシステム２１は、図８に示すように、縦１列に並んでいる３台のテレビジョン受像機３０1j乃至3j（ｊ＝１，２，３のいずれか）で構成されている１つのスケーラブルテレビユニットＵjが、横方向に３ユニット接続されることにより構成されている。即ち、９台のテレビジョン受像機３０で構成されるスケーラブルテレビシステム２１は、スケーラブルテレビユニットＵ1乃至Ｕ3により構成されている。
【００５２】
また、スケーラブルテレビユニットＵj（ｊ＝１，２，３のいずれか）の一番下に配置されているテレビジョン受像機３０3jが親機となり、上の２台のテレビジョン受像機３０1jおよび３０2jが子機となっている。
【００５３】
親機のテレビジョン受像機３０3jは、スケーラブルテレビユニットＵj内の全ての子機と他のスケーラブルテレビユニットＵh（ｊ≠ｈ）の親機と接続される。子機のテレビジョン受像機３０1jおよび３０2jは、自分のスケーラブルテレビユニットＵjの親機とのみ接続される。
【００５４】
即ち、スケーラブルテレビユニットＵj（ｊ＝１，２，３のいずれか）内の子機であるテレビジョン受像機３０1jまたは３０2jは、親機であるテレビジョン受像機３０3jとそれぞれケーブルＫ1jまたはＫ2jで接続される。即ち、スケーラブルテレビユニットＵ1では、テレビジョン受像機３０11とテレビジョン受像機３０31がケーブルＫ11で接続され、テレビジョン受像機３０21とテレビジョン受像機３０31がケーブルＫ21で接続されている。スケーラブルテレビユニットＵ2では、テレビジョン受像機３０12とテレビジョン受像機３０32がケーブルＫ12で接続され、テレビジョン受像機３０22とテレビジョン受像機３０32がケーブルＫ22で接続されている。さらに、スケーラブルテレビユニットＵ3では、テレビジョン受像機３０13とテレビジョン受像機３０33がケーブルＫ13で接続され、テレビジョン受像機３０23とテレビジョン受像機３０33がケーブルＫ23で接続されている。
【００５５】
そして、スケーラブルテレビユニットＵ1とスケーラブルテレビユニットＵ2がケーブルＭ12で接続され、スケーラブルテレビユニットＵ2とスケーラブルテレビユニットＵ3がケーブルＭ23で接続されている。
【００５６】
以下において、ケーブルＫ1jまたはケーブルＭ12およびＭ23を特に区別する必要がない場合、単にケーブルＫまたはケーブルＭと称する。また、スケーラブルテレビユニットＵjを特に区別する必要がない場合、単にスケーラブルテレビユニットＵと称する。
【００５７】
図８に示したように、親機と子機で構成されるスケーラブルテレビユニットＵjを複数ユニット構成することによってスケーラブルテレビシステム２１を構成することで、換言すれば、スケーラブルテレビユニットＵjをカスケード接続することで、スケーラブルテレビシステム２１が大規模になった場合であっても、子機の台数を削減し、かつ、親機へのケーブル（ケーブルKおよびM）の集中を防止することができる。即ち、図８に示した接続方法によれば、図２に示した従来のテレビジョン受像機３０間のケーブルの接続方法と比較して、格段に簡単な（少ない）接続とすることができる。
【００５８】
なお、スケーラブルテレビユニットＵj（スケーラブルテレビシステム２１）のテレビジョン受像機３０それぞれは、自分が親機または子機のいずれにもなることができるようになっている。従って、横１列に並んでいる３台のテレビジョン受像機３０i1乃至i3（ｉ＝１，２，３のいずれか）を１つのスケーラブルテレビユニットＵiとして、縦方向に３ユニット接続させることにより図５に示したスケーラブルテレビシステム２１を構成することもできる。
【００５９】
次に、スケーラブルテレビユニットＵj（スケーラブルテレビシステム２１）において、親機または子機として動作するテレビジョン受像機３０の詳細について説明する。
【００６０】
図９は、スケーラブルテレビユニットＵj（スケーラブルテレビシステム２１）を構成するテレビジョン受像機３０の構成例を示すブロック図である。
【００６１】
通信部５０は、コネクタ部６１を有し、コネクタ部６１に接続されるケーブルＫまたはＭを介して、他のテレビジョン受像機３０と通信を行う。即ち、通信部５０は、例えば、IEEE(Institute of Electrical and Electronics Engineers)1394の規格に準じたシリアル通信（以下、適宜IEEE1394通信と称する）を行うようになされており、コネクタ部６１は、IEEE1394ケーブルとしてのケーブルKまたはＭが接続されるIEEE1394コネクタを複数有している。
【００６２】
また、通信部５０は、リモートコントロール装置（図示ぜず）とも赤外線などにより通信し、ユーザからの指示を受信する。例えば、通信部５０は、ユーザにより指示されたテレビジョン受像機３０の表示モードなどを受信し、制御部５２に供給する。ここで、表示モードとしては、例えば、上述した大画面機能を実行させる大画面モードや、ストロボ機能を実行させるストロボモードなどがある。
【００６３】
位置検出部５１は、自分（テレビジョン受像機３０）が親機である場合には、通信部５０を介して、他のスケーラブルテレビユニットＵの親機のテレビジョン受像機３０とIEEE1394通信することにより、自分のスケーラブルテレビユニットＵ以外に、どの方向（右側、左側、上側、または下側）にどれだけのテレビジョン受像機３０が接続されているかについての情報（以下、配置情報と称する）を取得する。また、位置検出部５１は、自分のスケーラブルテレビユニットＵ内の子機のテレビジョン受像機３０それぞれに対して、各テレビジョン受像機３０がスケーラブルテレビシステム２１全体のなかのどの位置に配置されているか（子機のテレビジョン受像機３０の配置情報）を計算し、通信部５０を介してIEEE1934通信により送信する（教えてやる）。
【００６４】
一方、自分（テレビジョン受像機３０）が子機である場合には、位置検出部５１は、通信部５０を介して親機のテレビジョン受像機３０とIEEE1934通信することにより、自分（テレビジョン受像機３０）がスケーラブルテレビシステム２１内のどの位置に配置されているかを認識する。
【００６５】
スケーラブルテレビシステム２１を構成する各テレビジョン受像機３０がスケーラブルテレビシステム２１全体として整合性のある画像の表示を行うためには、スケーラブルテレビシステム２１内の各テレビジョン受像機３０の配置（物理的位置）や回転状態（表を向いているか裏を向いているか）を認識する必要がある。
【００６６】
そこで、制御部５２は、自分（テレビジョン受像機３０）がスケーラブルテレビシステム２１全体として整合性のある画像の表示を行うように、画像処理部５６を制御する。
【００６７】
即ち、制御部５３には、位置検出部５１から、自分（テレビジョン受像機３０）の配置情報が供給されるとともに、回転検出部５４から、自分（テレビジョン受像機３０）が表を向いているか、または裏を向いているかを判定した判定結果が供給される。さらに、他のテレビジョン受像機３０の回転状態が、通信部５０から制御部５２に供給される。
【００６８】
制御部５２は、位置検出部５１から供給される配置情報を記憶部５３に記憶させる。そして、制御部５２は、通信部５０から供給される（ユーザが指示した）表示モード、回転検出部５４から供給される判定結果、および他のテレビジョン受像機３０の回転状態に応じて、画像処理部５６を制御する。
【００６９】
さらに、制御部５３は、自分（テレビジョン受像機３０）が表を向いているか、または裏を向いているかを判定した判定結果（自分（テレビジョン受像機３０）の回転状態）を、通信部５０を介して他のテレビジョン受像機３０に供給する。なお、テレビジョン受像機３０の表または裏は、所定の位置（例えば、あるユーザの位置）を基準として、スケーラブルテレビシステム２１を構成する各テレビジョン受像機３０共通に決定されているものとする。
【００７０】
記憶部５３は、制御部５２から供給される自分（テレビジョン受像機３０）の配置情報を記憶する。また、記憶部５３には、制御部５２が制御処理を行う上で必要なデータが適宜記憶される。
【００７１】
回転検出部５４は、自分（テレビジョン受像機３０）の回転状態を表す回転信号を取得し、その取得結果から、テレビジョン受像機３０が表を向いているか、または裏を向いているかを判定した判定結果を制御部５２に供給する。
【００７２】
画像入力部５５は、例えば、アンテナおよびチューナや、外部入力端子などで構成され、入力されてくる所定の画像（の信号）を画像処理部５６に供給する。
【００７３】
画像処理部５６は、制御部５２の制御の下、画像入力部５５から供給される画像（の信号）に所定の処理を行い、画像表示部５７に供給する。例えば、表示モードが大画面モードである場合には、画像処理部５６は、画像入力部５５から供給される１画面を構成する画像のうちの、自分が表示するエリアの画像（部分画像）を生成し、画像表示部５７に供給する。また例えば、表示モードがストロボモードである場合には、画像処理部５６は、画像入力部５５から供給される画像（動画像）のうち、自分が表示するタイミングの１枚の画像（静止画像）を選択し、画像表示部５７に供給する。
【００７４】
画像表示部５７は、例えば、LCD(Liquid Crystal display)や有機EL (Electro luminescence ) ディスプレイ、PDPなどの薄型のディスプレイで構成され、画像処理部５６から供給される画像を表示する。
【００７５】
記憶部５３には、必要に応じてドライブ７１が接続され、磁気ディスク、光ディスク、光磁気ディスク、或いは半導体メモリなどのリムーバブルメディア（記録媒体）７２が適宜装着され、それらから読み出されたプログラムやデータが、必要に応じて記憶部５３にインストールされる。
【００７６】
図１０は、テレビジョン受像機３０の背面側（表示面と反対側の面）に設けられているコネクタ部６１の構成例を示している。
【００７７】
コネクタ部６１には、IEEE1394コネクタが配置されたIEEE1394コネクタ部８１と、図１３で後述するラック９１と接続されるコネクタ８２が設けられている。
【００７８】
IEEE1394コネクタ部８１は、スケーラブルテレビユニットＵの親機どうしの接続をするケーブル（IEEE1394ケーブル）Mが装着されるIEEE1394コネクタCR，CL，CU、およびCD（第１の接続手段）と、スケーラブルテレビユニットＵ内の子機と親機を接続するケーブル（IEEE1394ケーブル）Kが装着されるIEEE1394コネクタC1乃至C8（第２の接続手段）とを有している。
【００７９】
IEEE1394コネクタCR，CL，CU、またはCDは、テレビジョン受像機３０が親機として機能する場合に、それぞれ、右側、左側、上側、または下側に配置されている他のスケーラブルテレビユニットＵの親機のテレビジョン受像機３０と接続されるケーブルMが装着されるコネクタである。従って、IEEE1394コネクタCR，CL，CU、またはCDにケーブルMが装着されていない場合、その側には、スケーラブルテレビユニットUが接続されていないことを表す。
【００８０】
IEEE1394コネクタCR，CL，CU、またはCDは、接続される方向に対応するように、IEEE1394コネクタ部８１内に配置されている。即ち、右側のスケーラブルテレビユニットUと接続されるケーブルMが装着されるIEEE1394コネクタCRは、図１０に示すように、IEEE1394コネクタ部８１内の右側に配置されている。また、左側のスケーラブルテレビユニットUと接続されるケーブルMが装着されるIEEE1394コネクタCLは、IEEE1394コネクタ部８１内の左側に配置されている。
【００８１】
同様に、上側のスケーラブルテレビユニットUと接続されるケーブルMが装着されるIEEE1394コネクタCUは、IEEE1394コネクタ部８１内の上側に、下側のスケーラブルテレビユニットUと接続されるケーブルMが装着されるIEEE1394コネクタCDは、IEEE1394コネクタ部８１内の下側に、それぞれ配置されている。
【００８２】
また、IEEE1394コネクタC1乃至C8は、自分のスケーラブルテレビユニットU内の子機と親機のテレビジョン受像機３０とを接続するケーブルKが装着されるコネクタである。
【００８３】
図１１は、スケーラブルテレビシステム２１が９台のテレビジョン受像機３０で構成され、図８に示したスケーラブルテレビユニットＵ1乃至Ｕ3の構成を有する場合の、IEEE1394ケーブル接続例を示している。
【００８４】
スケーラブルテレビユニットＵ1内では、子機のテレビジョン受像機３０11のIEEE1394コネクタC1と親機のテレビジョン受像機３０31のIEEE1394コネクタC1とがケーブルＫ11で接続されている。また、子機のテレビジョン受像機３０21のIEEE1394コネクタC2と親機のテレビジョン受像機３０31のIEEE1394コネクタC2とがケーブルＫ21で接続されている。
【００８５】
スケーラブルテレビユニットＵ2内では、子機のテレビジョン受像機３０12のIEEE1394コネクタC1と親機のテレビジョン受像機３０32のIEEE1394コネクタC1とがケーブルＫ12で接続されている。また、子機のテレビジョン受像機３０22のIEEE1394コネクタC2と親機のテレビジョン受像機３０32のIEEE1394コネクタC2とがケーブルＫ22で接続されている。
【００８６】
スケーラブルテレビユニットＵ3内では、子機のテレビジョン受像機３０13のIEEE1394コネクタC1と親機のテレビジョン受像機３０33のIEEE1394コネクタC1とがケーブルＫ13で接続されている。また、子機のテレビジョン受像機３０23のIEEE1394コネクタC2と親機のテレビジョン受像機３０33のIEEE1394コネクタC2とがケーブルＫ23で接続されている。
【００８７】
そして、スケーラブルテレビユニットＵ1の親機のテレビジョン受像機３０31のIEEE1394コネクタCRと、スケーラブルテレビユニットＵ2の親機のテレビジョン受像機３０32のIEEE1394コネクタCLとが、ケーブルM12で接続（スケーラブルテレビユニット間接続）されている。また、スケーラブルテレビユニットＵ2の親機のテレビジョン受像機３０32のIEEE1394コネクタCRと、スケーラブルテレビユニットＵ3の親機のテレビジョン受像機３０33のIEEE1394コネクタCLとが、ケーブルM23で接続（スケーラブルテレビユニット間接続）されている。
【００８８】
以上のように、スケーラブルテレビシステム２１内の１つのテレビジョン受像機３０に注目すると、そのテレビジョン受像機３０には、直接に接続されるテレビジョン受像機３０（直接接続表示装置）と、間接に接続されるテレビジョン受像機３０（間接接続表示装置）とが、存在する。また、親機のテレビジョン受像機３０は、自分のスケーラブルテレビユニットＵ内の子機のテレビジョン受像機３０と接続され、さらに、隣りのスケーラブルテレビユニットＵの親機のテレビジョン受像機３０とも接続される（接続されうる）。一方、子機のテレビジョン受像機３０は、自分のスケーラブルテレビユニットＵ内の親機のテレビジョン受像機３０とのみ接続される。
【００８９】
図１２は、スケーラブルテレビシステム２１が、図３に示した１６台のテレビジョン受像機３０で構成され、スケーラブルテレビユニットＵ1乃至Ｕ4の構成を有する場合の、IEEE1394ケーブル接続例を示している。
【００９０】
なお、スケーラブルテレビシステム２１のケーブルKの接続には、IEEE1394コネクタ部８１（図１０）の８個のIEEE1394コネクタC1乃至C8のどのコネクタを使用しても良い。本実施の形態のIEEE1394コネクタ部８１には、８個のIEEE1394コネクタC1乃至C8が設けられているため、テレビジョン受像機３０が親機として機能する場合、最大で８台の子機と接続可能となるが、子機用のIEEE1394コネクタの個数は、８個に限らず、任意の個数とすることができる。
【００９１】
また、スケーラブルテレビシステム２１のテレビジョン受像機３０どうしの電気的な接続は、IEEE1394に限定されるものではなく、その他の、例えば、LAN（IEEE802）などを採用することが可能である。また、スケーラブルテレビシステム２１のテレビジョン受像機３０どうしの電気的な接続は、有線ではなく、無線で行うことも可能である。
【００９２】
ところで、図１１または図１２に示すようにスケーラブルテレビユニットＵ内のテレビジョン受像機３０どうしでケーブルＫを接続した場合、親機のテレビジョン受像機３０は、スケーラブルテレビユニットＵ内における子機のテレビジョン受像機３０の配置（親機のテレビジョン受像機３０に対する子機のテレビジョン受像機３０の相対位置）について知る必要がある。
【００９３】
そこで、スケーラブルテレビシステム２１では、図１３に示すように、子機のテレビジョン受像機３０を固定するラック９１に設けられているDIPスイッチ９２に、スケーラブルテレビユニットＵ内における子機のテレビジョン受像機３０の位置情報を予め設定しておくようになされている。ここで設定される位置情報は、スケーラブルテレビユニットＵの親機のテレビジョン受像機３０に対する子機のテレビジョン受像機３０の相対位置の情報である。
【００９４】
そして、子機のテレビジョン受像機３０がラック９１に固定された場合、テレビジョン受像機３０のコネクタ８２（図１０）とラック９１のコネクタ９３とが接触し、子機のテレビジョン受像機３０は、コネクタ８２およびコネクタ９３を介して、DIPスイッチ９２に設定されている位置情報を読み込む。そして、子機のテレビジョン受像機３０は、読み込んだ位置情報を、親機のテレビジョン受像機３０にケーブルKを介して送信（IEEE1394通信）する。
【００９５】
また、DIPスイッチ９２以外に、子機のテレビジョン受像機３０が位置情報（親機との相対位置の情報）を取得する方法としては、例えば、ラック９１に位置情報を記憶させたICタグを取り付け、テレビジョン受像機３０がICタグと非接触通信を行うことにより、子機の位置情報を取得する方法がある。さらに、無線LANなどを用いてもよい。
【００９６】
なお、子機のテレビジョン受像機３０から位置情報をもらうのではなく、親機のテレビジョン受像機３０に、子機のテレビジョン受像機３０の位置情報を直接設定するようにしてもよい。
【００９７】
次に、図１４のフローチャートを参照して、スケーラブルテレビユニットＵ内の親機のテレビジョン受像機３０が行う、配置状態認識処理について説明する。
【００９８】
初めに、ステップＳ１において、位置検出部５１は、ケーブルＫが接続されているIEEE1394コネクタC1乃至C8を検出する。そして、位置検出部５１は、自分（親機のテレビジョン受像機３０）と接続されている子機のテレビジョン受像機３０から位置情報を取得する。これにより、位置検出部５１は、自分のスケーラブルテレビユニットＵ内の子機のテレビジョン受像機３０の個数と位置（自分に対する子機の相対位置）を認識して、ステップＳ２に進む。
【００９９】
ステップＳ２において、位置検出部５１は、ステップＳ１で認識した子機の個数と位置に基づいて、自分のスケーラブルテレビユニットＵの（自分を含む）テレビジョン受像機３０の構成情報を、IEEE1394コネクタCR，CL，CU、またはCDに接続されている他の親機のテレビジョン受像機３０に送信し、ステップＳ３に進む。
【０１００】
ステップＳ３において、位置検出部５１は、IEEE1394コネクタCR，CL，CU、またはCDに接続されている他の親機のテレビジョン受像機３０から配置情報を取得する配置情報取得処理を行う。この処理の詳細については図１５で後述するが、この処理により、位置検出部５１は、自分のスケーラブルテレビユニットＵ以外に、どの方向（右側、左側、上側、または下側）にどれだけの（何台の）テレビジョン受像機３０が接続されているかについての情報（配置情報）を取得（認識）する。
【０１０１】
ステップＳ４において、位置検出部５１は、ステップＳ３で取得した他のスケーラブルテレビユニットＵの配置情報に基づいて、自分のスケーラブルテレビユニットＵ内の各テレビジョン受像機３０の配置（自分のスケーラブルテレビユニットＵ内の各テレビジョン受像機３０のスケーラブルテレビシステム２１上の絶対位置）を計算して、ステップＳ５に進む。
【０１０２】
ステップＳ５において、位置検出部５１は、スケーラブルテレビシステム２１上の自分の（テレビジョン受像機３０）の配置（絶対位置）を制御部５２に供給する。また、制御部５２は、その配置を記憶部５３に記憶させるとともに、自分（テレビジョン受像機３０）がスケーラブルテレビシステム２１全体として整合性のある画像の表示を行うように、画像処理部５６を制御して、ステップＳ６に進む。
【０１０３】
ステップＳ６において、位置検出部５１は、IEEE1394通信により、自分のスケーラブルテレビユニットＵ内の子機のテレビジョン受像機３０それぞれに、子機のテレビジョン受像機３０がスケーラブルテレビシステム２１全体のなかのどの位置に配置されているか（スケーラブルテレビシステム２１上の絶対位置）を表す配置情報を送信して、処理を終了する。
【０１０４】
次に、図１５のフローチャートを参照して、図１４のステップＳ２で行う配置情報取得処理について説明する。
【０１０５】
初めに、ステップＳ２１において、位置検出部５１は、上側のIEEE1394コネクタCUにケーブルＭが接続されているか否かを判定する。
【０１０６】
ステップＳ２１で、上側のIEEE1394コネクタCUにケーブルＭが接続されていないと判定された場合、ステップＳ２２に進み、位置検出部５１は、自分のスケーラブルテレビユニットＵが上から１番目のスケーラブルテレビユニットであると認識する。
【０１０７】
一方、ステップＳ２１で、上側のIEEE1394コネクタCUにケーブルＭが接続されていると判定された場合、ステップＳ２３に進み、位置検出部５１は、ケーブルＭを介してIEEE1394コネクタCUと接続されている上側の（親機の）テレビジョン受像機３０と通信することにより、自分のスケーラブルテレビユニットＵより上側の配置情報を取得する。
【０１０８】
ステップＳ２２またはＳ２３の処理後、ステップＳ２４において、位置検出部５１は、下側のIEEE1394コネクタCDにケーブルＭが接続されているか否かを判定する。
【０１０９】
ステップＳ２４で、下側のIEEE1394コネクタCDにケーブルＭが接続されていないと判定された場合、ステップＳ２５に進み、位置検出部５１は、自分のスケーラブルテレビユニットＵが下から１番目のスケーラブルテレビユニットであると認識する。
【０１１０】
一方、ステップＳ２４で、下側のIEEE1394コネクタCDにケーブルＭが接続されていると判定された場合、ステップＳ２５に進み、位置検出部５１は、ケーブルＭを介してIEEE1394コネクタCDと接続されている下側の（親機の）テレビジョン受像機３０と通信することにより、自分のスケーラブルテレビユニットＵより下側の配置情報を取得する。
【０１１１】
ステップＳ２５またはＳ２６の処理後、ステップＳ２７において、位置検出部５１は、右側のIEEE1394コネクタCRにケーブルＭが接続されているか否かを判定する。
【０１１２】
ステップＳ２７で、右側のIEEE1394コネクタCRにケーブルＭが接続されていないと判定された場合、ステップＳ２８に進み、位置検出部５１は、自分のスケーラブルテレビユニットＵが右から１番目のスケーラブルテレビユニットであると認識する。
【０１１３】
一方、ステップＳ２７で、右側のIEEE1394コネクタCRにケーブルＭが接続されていると判定された場合、ステップＳ２８に進み、位置検出部５１は、ケーブルＭを介してIEEE1394コネクタCRと接続されている右側の（親機の）テレビジョン受像機３０と通信することにより、自分のスケーラブルテレビユニットＵより右側の配置情報を取得する。
【０１１４】
ステップＳ２８またはＳ２９の処理後、ステップＳ３０において、位置検出部５１は、左側のIEEE1394コネクタCLにケーブルＭが接続されているか否かを判定する。
【０１１５】
ステップＳ３０で、左側のIEEE1394コネクタCLにケーブルＭが接続されていないと判定された場合、ステップＳ３１に進み、位置検出部５１は、自分のスケーラブルテレビユニットＵが左から１番目のスケーラブルテレビユニットであると認識する。
【０１１６】
一方、ステップＳ３０で、左側のIEEE1394コネクタCLにケーブルＭが接続されていると判定された場合、ステップＳ３２に進み、位置検出部５１は、ケーブルＭを介してIEEE1394コネクタCLと接続されている左側の（親機の）テレビジョン受像機３０と通信することにより、自分のスケーラブルテレビユニットＵより左側の配置情報を取得する。
【０１１７】
ステップＳ３１またはＳ３２の処理後、ステップＳ３３において、位置検出部５１は、位置が確定したか否かを判定する。
【０１１８】
スケーラブルテレビシステム２１では、図１１および図１２で示したように、各テレビジョン受像機３０がカスケード接続されているため、自分（テレビジョン受像機３０）と直接接続されているスケーラブルテレビユニットＵより先の（スケーラブルテレビユニットＵの）配置情報を取得するためには所定の時間を必要とする。
【０１１９】
例えば、図１１に示した９台のテレビジョン受像機３０で構成されるスケーラブルテレビシステム２１において、スケーラブルテレビユニットＵ1の親機であるテレビジョン受像機３０31がスケーラブルテレビシステム２１における正確な配置情報を取得するためには、テレビジョン受像機３０31は、スケーラブルテレビユニットＵ2のテレビジョン受像機３０32がスケーラブルテレビユニットＵ3のテレビジョン受像機３０33から配置情報を取得し、そのスケーラブルテレビユニットＵ3の配置情報とスケーラブルテレビユニットＵ2の配置情報の両方の配置情報をテレビジョン受像機３０32から取得する必要がある。
【０１２０】
従って、各スケーラブルテレビユニットＵの親機のテレビジョン受像機３０が同時に配置情報取得処理を開始した場合、それぞれの親機のテレビジョン受像機３０は、正確な配置情報（カスケード接続されている全てのスケーラブルテレビユニットＵの配置情報）を取得していない状態であることが考えられる。
【０１２１】
そこで、ステップＳ３３では、例えば、上述したステップＳ２１乃至Ｓ３２の処理を複数回繰り返し、自分と直接接続されている隣りの親機のテレビジョン受像機３０から送信されてくる配置情報に変化がなくなったか、あるいは、所定時間（カスケード接続されている全てのスケーラブルテレビユニットＵの配置情報を取得するのに十分な時間）が経過したか、などを判定することにより、位置検出部５１は、位置が確定したか否かを判定する。そして、ステップＳ３３で、まだ位置が確定していないと判定された場合、位置検出部５１は、ステップＳ２１に処理を戻し、ステップＳ２１乃至Ｓ３３の処理を繰り返す。
【０１２２】
一方、ステップＳ３３で、位置が確定したと判定された場合、位置検出部５１は、図１４のステップＳ３に戻り、その後、ステップＳ４に進む。
【０１２３】
次に、図１６のフローチャートを参照して、スケーラブルテレビユニットＵ内の子機のテレビジョン受像機３０が行う、配置状態認識処理について説明する。
【０１２４】
初めに、ステップＳ５１において、位置検出部５１は、コネクタ８２および９３を介してDIPスイッチ９１から取得した子機の位置情報を、親機のテレビジョン受像機３０に送信し、ステップＳ５２に進む。
【０１２５】
ステップＳ５２において、位置検出部５１は、配置情報を親機のテレビジョン受像機３０から受信して、ステップＳ５３に進む。ここで親機のテレビジョン受像機３０から送信されてくる配置情報は、上述したように、自分（子機のテレビジョン受像機３０）がスケーラブルテレビシステム２１全体のなかのどの位置に配置されているかを表す情報である。
【０１２６】
ステップＳ５３において、位置検出部５１は、ステップＳ５２で受信した配置情報を制御部５２に供給する。また、ステップＳ５３において、制御部５２は、その配置情報を記憶部５３に記憶させるともに、自分（テレビジョン受像機３０）がスケーラブルテレビシステム２１全体として整合性のある画像の表示を行うように、画像処理部５６を制御して、処理を終了する。
【０１２７】
以上のように、図１４乃至図１６の配置状態認識処理によれば、親機のテレビジョン受像機３０の位置検出部５１は、IEEE1394コネクタCR，CL，CU、またはCDに親機のテレビジョン受像機３０が接続されているかどうかを検出し、IEEE1394コネクタCR，CL，CU、またはCDに親機のテレビジョン受像機３０が接続されている場合には、自分（親機のテレビジョン受像機３０）から右側、左側、上側、下側に並ぶテレビジョン受像機３０の構成についての情報である装置構成情報（配置情報）を、IEEE1394コネクタCR，CL，CU、またはCDに直接接続されているテレビジョン受像機３０から取得して、スケーラブルテレビシステム２１上の位置を求める。
【０１２８】
また、親機のテレビジョン受像機３０の位置検出部５１は、IEEE1394コネクタC1乃至C8に子機のテレビジョン受像機３０が接続されているかどうか検出し、IEEE1394コネクタC1乃至C8に子機のテレビジョン受像機３０が接続されている場合には、自分（親機のテレビジョン受像機３０）に対する子機のテレビジョン受像機３０の位置情報（相対位置の情報）を取得するとともに、スケーラブルテレビシステム２１上の子機のテレビジョン受像機３０の絶対位置をIEEE1394コネクタC1乃至C8に接続されている子機のテレビジョン受像機３０に提供する。
【０１２９】
これにより、スケーラブルテレビシステム２１内の各テレビジョン受像機３０が、スケーラブルテレビシステム２１全体のなかのどの位置に配置されているかを、容易に認識することができる。即ち、スケーラブルテレビシステムを構成する他の表示装置を容易に認識することができるようにする
【０１３０】
なお、図１７に示すように、各スケーラブルテレビユニットＵが子機のテレビジョン受像機３０を有しない構成によって、換言すれば、親機のテレビジョン受像機３０だけによって、スケーラブルテレビシステム２１を構成することも可能である。この場合、図１４乃至図１６に示した処理では、親機と子機との間のIEEE1394通信が省略される。
【０１３１】
図１８は、回転検出部５４に入力される、テレビジョン受像機３０の回転状態を表す回転信号を生成する構成例を示す図である。図１８は、テレビジョン受像機３０と、テレビジョン受像機３０が固定されているラック９１とを上方から見た図である。
【０１３２】
テレビジョン受像機３０を固定するラック９１内に、テレビジョン受像機３０の回転状態を表す回転信号を生成するマイクロスイッチ１０１が固定されており、マイクロスイッチ１０１で生成された回転信号が、信号ケーブル１０２により、テレビジョン受像機３０の位置検出部５１に供給されるようになっている。
【０１３３】
テレビジョン受像機３０およびマイクロスイッチ１０１が固定されているラック９１は、回転軸１０３を中心として、時計回りまたは反時計回りに回転するようになっている。
【０１３４】
マイクロスイッチ１０１は、カム１０４と接触している。カム１０４は、テレビジョン受像機３０の上方から見て、上側半分の半径ＲAの円と下側半分の半径ＲB（＞ＲA）の円の半径が異なる２つの半円を接着したような形を有している。換言すれば、カム１０４は、テレビジョン受像機３０の上方から見て、１８０度ごとに半径の異なる円の形状を有している。
【０１３５】
これにより、例えば、図１８Ａに示すように、テレビジョン受像機３０が表（一方の面）を向いている場合、マイクロスイッチ１０１は、カム１０４の半径ＲAの半円の円周と接し、オフ状態となり、テレビジョン受像機３０が表を向いていることを表すオフ信号（回転信号）を、回転検出部５４に供給する。
【０１３６】
一方、図１８Ｂに示すように、テレビジョン受像機３０が図１８Ａに示す状態から１８０度回転し、裏（他方の面）を向いている場合、マイクロスイッチ１０１は、カム１０４の半径ＲBの半円の円周と接し、オン状態となり、テレビジョン受像機３０が裏を向いていることを表すオン信号（回転信号）を、回転検出部５４に供給する。なお、オフ信号またはオン信号のどちらを表または裏を向いていることを表す回転信号とするかは、回転検出部５４において、適宜変更（設定）することができる。
【０１３７】
以上から、回転検出部５４は、マイクロスイッチ１０１から供給されるオフ信号またはオン信号（回転信号）を取得し、テレビジョン受像機３０が表を向いているか、または裏を向いているかを判定した判定結果を制御部５２に供給する。
【０１３８】
図１９は、テレビジョン受像機３０が自身の回転状態を認識する回転状態認識処理のフローチャートである。この処理は、テレビジョン受像機３０の電源が投入されている間、継続して実行される。
【０１３９】
初めに、ステップＳ７１において、回転検出部５４は、マイクロスイッチ１０１から供給される回転信号を取得し、ステップＳ７２に進む。
【０１４０】
ステップＳ７２において、回転検出部５４は、取得した回転信号がオフ信号であるかどうかを判定する。ステップＳ７２で、回転検出部５４が取得した回転信号がオフ信号であると判定された場合、ステップＳ７３に進み、テレビジョン受像機３０が表を向いていることを表す判定結果を制御部５２に供給する。
【０１４１】
一方、ステップＳ７２で、回転検出部５４が取得した回転信号がオン信号であると判定された場合、ステップＳ７４に進み、テレビジョン受像機３０が裏を向いていることを表す判定結果を制御部５２に供給する。
【０１４２】
ステップＳ７３またはＳ７４の処理後、ステップＳ７１に戻り、同様の処理が繰り返される。
【０１４３】
図１９の回転状態認識処理によれば、制御部５２は、テレビジョン受像機３０の回転状態を、即座にかつ容易に認識することができる。
【０１４４】
なお、テレビジョン受像機３０の回転状態を表す回転信号を回転検出部５４に供給するハードウエアは、マイクロスイッチ１０１に限定されず、その他、例えば、ポテンショメータやロータリエンコーダなどでもよい。
【０１４５】
上述した位置検出部５１では、スケーラブルテレビシステム２１全体の親機のテレビジョン受像機３０の台数を、図１５に示したIEEE1394通信によって（配置情報として）取得するようにしたが、ロジック回路等のハードウエアによって取得するようにさせることもできる。
【０１４６】
図２０は、スケーラブルテレビシステム２１全体の親機のテレビジョン受像機３０の台数をロジック回路によって検出するようにしたテレビジョン受像機３０のその他の構成例を示している。
【０１４７】
なお、図２０において、図９に示したテレビジョン受像機３０と対応する部分については同一の符号を付してあり、その説明を省略する。
【０１４８】
即ち、図２０においては、図９のコネクタ部６１に代えてコネクタ部２０１が設けられており、図９の位置検出部５１に代えて位置検出部２０２が設けられている以外は、図９における場合と同様に構成されている。
【０１４９】
コネクタ部２０１は、位置検出部２０２内に新たに設けられたロジック回路２１１および２１２用の信号（電気信号）を入出力するコネクタ（図２１に示すコネクタ２５１や２５２など）が設けられている以外は、図９のコネクタ６１と同様に構成されている。
【０１５０】
位置検出部２０２は、左右方向に接続されている親機のテレビジョン受像機３０の台数をカウントするロジック回路２１１と上下方向に接続されている親機のテレビジョン受像機３０の台数をカウントするロジック回路２１２が新たに設けられている以外は、図９の位置検出部５１と同様に構成されている。
【０１５１】
図２１を参照して、左右方向に接続されている親機のテレビジョン受像機３０の台数を表すビット信号を伝送するロジック回路２１１の構成と動作について説明する。なお、上下方向に接続されている親機のテレビジョン受像機３０の台数をカウントするロジック回路２１２も、ロジック回路２１１と同様である。
【０１５２】
ロジック回路２１１（演算手段）は、入力信号（ビット信号）を１だけカウントアップ（１だけ加算する）するカウンタ２３１および２３２（第１および第２の付加手段）と、２つの入力信号を加算して出力する加算器２３３（加算手段）と、ビット信号を取り出すための端子２４１乃至２４３とから構成されている。
【０１５３】
ロジック回路２１１は、コネクタ２０１（図２０）に新たに設けられたコネクタ２５１または２５２から入出力されたビット信号を処理する。
【０１５４】
コネクタ２５１（第１の入出力手段）は、入力端子２５１−Iおよび出力端子２５１−Oを有し、左側のスケーラブルテレビユニットＵの親機のテレビジョン受像機３０と接続される。コネクタ２５２（第２の入出力手段）は、入力端子２５２−Iおよび出力端子２５２−Oを有し、右側のスケーラブルテレビユニットＵの親機のテレビジョン受像機３０と接続される。
【０１５５】
右側のスケーラブルテレビユニットＵの親機のテレビジョン受像機３０から入力されたビット信号は、コネクタ２５２の入力端子２５２−Iを介して、カウンタ２３１および加算器２３３に供給される。このビット信号は、自分のスケーラブルテレビユニットＵより右側に接続されている親機の台数を表している。
【０１５６】
カウンタ２３１は、供給されたビット信号を１だけカウントアップして、端子２４１、およびコネクタ２５１の出力端子２５１−Oに供給する。これにより、端子２４１では、自分のスケーラブルテレビユニットＵより右側に接続されている親機の台数に、自分の分（１台）をカウントアップ（付加）した台数を取得することができる。また、ビット信号として、自分の分を含めて自分より右側に接続されている親機の台数を、出力端子２５１−Oから左側のスケーラブルテレビユニットＵの親機のテレビジョン受像機３０に出力することができる。
【０１５７】
同様にして、左側のスケーラブルテレビユニットＵの親機のテレビジョン受像機３０から入力されたビット信号は、コネクタ２５１の入力端子２５１−Iを介してカウンタ２３２に供給される。このビット信号は、自分のスケーラブルテレビユニットＵより左側に接続されている親機の台数を表している。
【０１５８】
カウンタ２３２は、供給されたビット信号を１だけカウントアップして、加算器２３３、端子２４２、およびコネクタ２５２の出力端子２５２−Oに供給する。これにより、端子２４２では、自分のスケーラブルテレビユニットＵより左側に接続されている親機の台数に、自分の分（１台）をカウントアップ（付加）した台数を取得することができる。また、ビット信号として、自分の分を含めて自分より左側に接続されている親機の台数を、出力端子２５２−Oから右側のスケーラブルテレビユニットＵの親機のテレビジョン受像機３０に出力することができる。
【０１５９】
加算器２３３は、入力端子２５２−Iから供給されるビット信号とカウンタ２３２から供給されるビット信号とを加算し、端子２４３に供給する。即ち、自分のスケーラブルテレビユニットＵより右側に接続されている親機の台数と、自分の分を含めて自分より左側に接続されている親機の台数とを加算し、その加算結果を端子２４３に供給する。これにより、端子２４３では、スケーラブルテレビシステム２１全体の親機の台数を表すビット信号を取得することができる。即ち、スケーラブルテレビシステム２１全体の親機の台数（総数）を検出（演算）することができる。
【０１６０】
なお、コネクタ２５１または２５２に何も接続されていない場合、即ち、隣りに親機のテレビジョン受像機３０が接続されていない場合、入力端子２５１−Iまたは２５２−Iのビット信号は、負荷抵抗により０（台）を表す。
【０１６１】
図２２は、左右方向に３台のスケーラブルテレビユニットＵの親機のテレビジョン受像機３０が接続されている場合の、ロジック回路２２１1乃至２１１3の接続例と、ビット信号の演算結果を示している。
【０１６２】
ロジック回路２２１1乃至２１１3の端子２４３1乃至２４３3それぞれでは、図２２に示すように、スケーラブルテレビシステム２１全体の親機の台数である「３」を表すビット信号を取得することができる。
【０１６３】
このように、IEEE1394通信以外にも、ロジック回路２２１（２１２）によって自分（テレビジョン受像機３０）の左右方向または上下方向に並ぶ親機のテレビジョン受像機３０の台数を検出することができる。例えば、図１１や図１２に示したように、スケーラブルテレビユニットＵのテレビジョン受像機３０の構成が、各スケーラブルテレビユニットＵにおいて同一である場合には、左右または上下方向に並ぶ親機のテレビジョン受像機３０の台数を検出することで、スケーラブルテレビシステム２１全体の構成を認識することができる。
【０１６４】
なお、本明細書において、フローチャートに記述されたステップは、記載された順序に沿って時系列的に行われる処理はもちろん、必ずしも時系列的に処理されなくとも、並列的あるいは個別に実行される処理をも含むものである。
【０１６５】
また、本明細書において、システムとは、複数の装置により構成される装置全体を表すものである。
【図面の簡単な説明】
【０１６６】
【図１】従来の４×４のスケーラブルテレビシステムを示す図である。
【図２】図１のスケーラブルテレビシステムにおける接続例を示す図である。
【図３】本発明を適用したスケーラブルテレビシステムの一実施の形態の構成例を示す図である。
【図４】スケーラブルテレビシステム２１を説明する図である。
【図５】本発明を適用したスケーラブルテレビシステムのその他の実施の形態の構成例を示す図である。
【図６】スケーラブルテレビシステム２１を説明する図である。
【図７】スケーラブルテレビシステム２１を説明する図である。
【図８】スケーラブルテレビシステム２１を説明する図である。
【図９】テレビジョン受像機３０の構成例を示すブロック図である。
【図１０】図９のコネクタ部６１の構成例を示している。
【図１１】スケーラブルテレビシステム２１のIEEE1394ケーブル接続例を示す図である。
【図１２】スケーラブルテレビシステム２１のIEEE1394ケーブル接続例を示す図である。
【図１３】子機の位置情報を取得するDIPスイッチ９２を説明する図である。
【図１４】親機の配置状態認識処理について説明するフローチャートである。
【図１５】親機間の配置情報通信処理について説明するフローチャートである。
【図１６】子機の配置状態認識処理について説明するフローチャートである。
【図１７】スケーラブルテレビシステム２１のその他のIEEE1394ケーブル接続例を示す図である。
【図１８】回転信号を生成する構成例を示す図である。
【図１９】回転状態認識処理について説明するフローチャートである。
【図２０】テレビジョン受像機３０のその他の構成例を示すブロック図である。
【図２１】ロジック回路２１１の構成と動作について説明する図である。
【図２２】左右方向に３台の親機が接続されている場合のロジック回路２１１の接続例を示す図である。
【符号の説明】
【０１６７】
２１  スケーラブルテレビシステム，  ３０  テレビジョン受像機，  ５０  通信部，  ５１  位置検出部，  ５２  制御部，  ５３  記憶部，  ５４  回転検出部，  ５６  画像処理部，  ６１  コネクタ部，  CR，CL，CU，CD   IEEE1394コネクタ，  C1乃至C8  IEEE1394コネクタ，  ９１  ラック，  ９２  DIPスイッチ，  ９３  コネクタ，  １０１  マイクロスイッチ，  １０４  カム，  ２０１  コネクタ部，  ２０２  位置検出部，  ２１１，２１２  ロジック回路，  ２５１，２５２  コネクタ，  ２３１，２３２  カウンタ，  ２３３  加算器
【図１】
2006308904.tif 000003
【図２】
2006308904.tif 000004
【図３】
2006308904.tif 000005
【図４】
2006308904.tif 000006
【図５】
2006308904.tif 000007
【図６】
2006308904.tif 000008
【図７】
2006308904.tif 000009
【図８】
2006308904.tif 000010
【図９】
2006308904.tif 000011
【図１０】
2006308904.tif 000012
【図１１】
2006308904.tif 000013
【図１２】
2006308904.tif 000014
【図１３】
2006308904.tif 000015
【図１４】
2006308904.tif 000016
【図１５】
2006308904.tif 000017
【図１６】
2006308904.tif 000018
【図１７】
2006308904.tif 000019
【図１８】
2006308904.tif 000020
【図１９】
2006308904.tif 000021
【図２０】
2006308904.tif 000022
【図２１】
2006308904.tif 000023
【図２２】
2006308904.tif 000024